(57)【要約】【課題】  既存の物理的媒体に対して印刷を施して作製した印刷物についても、データと当該印刷物との関係を容易に特定することを可能とする。【解決手段】  印刷物管理用部材１は、所定の物理的媒体に対して所定のデータを印刷して作製した印刷物４に対して後付け装着が可能な部材であるステープラの針３と、この針３に内蔵され、データに対応付けられる識別情報が少なくとも記憶された無線タグの機能を有する非接触型集積回路（Integrated Circuit；以下、ＩＣという。）２とを備える。【選択図】  図１
2005071294.tif 000002
【特許請求の範囲】
【請求項１】
所定の物理的媒体に対して所定のデータを印刷して作製した印刷物を管理するために用いる印刷物管理用部材であって、
上記印刷物に対して後付け装着が可能な部材と、
上記部材に内蔵され、上記データに対応付けられる識別情報が少なくとも記憶された無線タグの機能を有する非接触型集積回路とを備えること
を特徴とする印刷物管理用部材。
【請求項２】
上記非接触型集積回路には、上記識別情報とともに、印刷した上記データに関連する任意の情報であって上記識別情報に対応付けて登録された詳細情報が記憶されること
を特徴とする請求項１記載の印刷物管理用部材。
【請求項３】
上記部材は、上記印刷物に対して鋏み留めすることによって装着するステープラの針であること
を特徴とする請求項１記載の印刷物管理用部材。
【請求項４】
上記部材は、上記印刷物を挟み込むことによって装着するクリップであること
を特徴とする請求項１記載の印刷物管理用部材。
【請求項５】
上記部材は、上記印刷物に対して貼着することによって装着するシール材であること
を特徴とする請求項１記載の印刷物管理用部材。
【請求項６】
所定のデータを取得した情報処理装置から印刷装置へ出力命令することによって前記データが印刷される物理的媒体と
識別情報と、前記印刷したデータに関連する任意の情報であって前記識別情報に対応付けて登録された詳細情報が記憶される非接触型集積回路を有する印刷物管理用部材と、を備え、
前記物理的媒体に前記印刷物管理用部材を装着し、前記識別情報を前記情報処理装置に登録することにより、前記物理的媒体と上記データの対応を情報処理装置によって管理することを特徴とする印刷物管理システム。
【発明の詳細な説明】
【技術分野】
【０００１】
本発明は、所定の物理的媒体に対して所定のデータを印刷して作製した印刷物を管理するために用いる印刷物管理用部材に関する。
【背景技術】
【０００２】
近年、いわゆるＲＦＩＤ（Radio Frequency IDentification）と称される個体管理を行うシステムが各種業界で注目されている。このＲＦＩＤシステムは、無線タグ（トランスポンダ）と称される各種データを読み出し及び／又は書き込み可能に記憶するとともに通信機能を有する小型の非接触型集積回路（Integrated Circuit；以下、ＩＣという。）デバイスと所定のリーダ／ライタとの間で無線通信を行うことにより、無線タグに対して非接触でデータの読み出し及び／又は書き込みを行う技術である。このＲＦＩＤシステムは、例えば、無線タグを商品に取り付けることによって生産・物流管理を行う用途をはじめとし、交通機関の料金徴収や身分証明書、さらには電子マネーといった様々な用途への適用が期待されているものである。
【０００３】
このようなＲＦＩＤシステムにおいては、数ｍｍから数ｍの通信距離を実現することが可能とされており、通信距離が短いものから、密着型、近接型、近傍型、及び遠隔型といった区分に大別される。また、ＲＦＩＤシステムにおいては、キャリア周波数として、１２５ｋＨｚ、１３４ｋＨｚ、４．９ＭＨｚ、１３．５６ＭＨｚ、２．４５ＧＨｚ、及び５．８ＧＨｚが一般的に用いられるが、このうち、短波帯である１３．５６ＭＨｚのキャリア周波数については、近接型で用いることがＩＳＯ（International Organization For Standardization）１４４４３として規格化され、また、近傍型で用いることがＩＳＯ１５６９３として規格化されており、広く普及しつつある。また、ＲＦＩＤシステムとしては、マイクロ波帯である２．４５ＧＨｚのキャリア周波数を用いたシステムの開発も盛んであり、株式会社日立製作所製のミューチップ（登録商標）といった極めて微細な無線タグも開発されている（例えば、非特許文献１参照。）。
【非特許文献１】システム・ネットワーク基礎とおさらい大辞典  ＲＦＩＤカード、［online］、［平成１５年５月２８日検索］、インターネット＜http://www.keyman.or.jp/search/30000186#1.html＞
【発明の開示】
【発明が解決しようとする課題】
【０００４】
ところで、従来から、例えばパーソナルコンピュータに接続されたプリンタ等を用いて文書や画像等の各種データを紙等の物理的媒体に対して印刷することが行われているが、この場合、データと、当該データを印刷して作製した印刷物との間には特に関連性がない。そのため、印刷後においては、印刷物を所持する者が、例えば、印刷してある情報はどのデータであるのか、ソースはどこであるのか、関連する情報は存在するのか、といったデータと当該印刷物との関係を判断している。
【０００５】
しかしながら、印刷物の所有権が印刷を行った人間から他人へ移転した場合や、印刷を行った本人の記憶が曖昧な場合等には、データと当該印刷物との関係を後日調べることは非常に困難となる。
【０００６】
そこで、上述したＲＦＩＤシステムにて用いられる無線タグを利用する方法が有効であるものと考えられる。すなわち、この方法は、印刷時や物理的媒体の製造時に識別情報を記憶させた無線タグを予め物理的媒体に対して埋め込むことにより、当該物理的媒体に対して印刷を施して作製した印刷物の特定を試みるものである。
【０００７】
しかしながら、このような方法は、紙をはじめとする物理的媒体に対して予め無線タグを埋め込む必要があることから、当該物理的媒体の製造が煩雑となるのみならず、無線タグが埋め込まれていない既存の物理的媒体については何ら適用することができないものであった。
【０００８】
本発明は、このような実情に鑑みてなされたものであり、既存の物理的媒体に対して印刷を施して作製した印刷物についても、データと当該印刷物との関係を容易に特定することができ、印刷物の管理を容易とすることができる印刷物管理用部材を提供することを目的とする。
【課題を解決するための手段】
【０００９】
上述した目的を達成する本発明にかかる印刷物管理用部材は、所定の物理的媒体に対して所定のデータを印刷して作製した印刷物を管理するために用いる印刷物管理用部材であって、上記印刷物に対して後付け装着が可能な部材と、上記部材に内蔵され、上記データに対応付けられる識別情報が少なくとも記憶された無線タグの機能を有する非接触型集積回路とを備えることを特徴としている。
【００１０】
このような本発明にかかる印刷物管理用部材は、データに対応付けられる識別情報を記憶した部材を後付けで印刷物に対して装着することができる。そのため、本発明にかかる印刷物管理用部材は、既存の物理的媒体に対して印刷を施して作製した印刷物についても、印刷したデータと当該印刷物との関係の特定に寄与することができる。
【発明の効果】
【００１１】
本発明にかかる印刷物管理用部材は、既存の物理的媒体に対して識別情報を容易に付与することができることから、印刷したデータと印刷物との関係を容易に特定することが可能となる。
【発明を実施するための最良の形態】
【００１２】
以下、本発明を適用した具体的な実施の形態について図面を参照しながら詳細に説明する。
【００１３】
この実施の形態は、紙等の物理的媒体に対して印刷を施して作製した印刷物を管理する印刷物管理システムである。この印刷物管理システムは、物理的媒体に対して印刷した文書や画像等の各種データと、印刷物との関係を特定するために、いわゆるＲＦＩＤ（Radio Frequency IDentification）を利用するものであり、既存の物理的媒体に対して印刷を施して作製した印刷物についても、データと当該印刷物との関係を容易に特定することができる手法を提案するものである。
【００１４】
なお、以下では、説明の便宜上、物理的媒体として紙を用いて説明するものとする。
【００１５】
印刷物管理システムにおいては、図１に示すように、無線タグの機能を有し、少なくとも予め付与された識別情報が記憶された非接触型集積回路（Integrated Circuit；以下、ＩＣという。）２を内蔵させたステープラの針３を、印刷物管理用部材１として用いる。
【００１６】
ここで、ＩＣ２は、針３の内部であればいかなる場所に埋め込んでもよいが、針部分をアンテナとして好適に機能させる場所に埋め込むことが望ましい。
【００１７】
印刷物管理システムにおいては、このような針３を用いて構成される印刷物管理用部材１を印刷物４に対して鋏み留めすることによって装着するとともに、ＩＣ２に記憶されている識別情報とプリンタや複写機等の印刷装置を用いて紙に対して印刷された内容を示すデータとを対応付けてデータベース化しておくことにより、印刷内容を示すデータと印刷物４との関係の特定を図る。
【００１８】
具体的には、印刷物管理用部材１を用いた印刷物管理システムは、図２に示すように、印刷物管理用部材１が針として装填されたステープラ１１と、ユーザが使用するローカルのパーソナルコンピュータやネットワーク上のサーバ等の情報処理装置１２と、印刷物４を作製する印刷装置１３とを備えるものとして構成される。
【００１９】
このような印刷物管理システムにおいては、図３に示すような一連の工程を経ることにより、紙に対して印刷を施し、印刷物４を作製する。
【００２０】
まず、ユーザは、同図に示すように、ステップＳ１において、情報処理装置１２を用い、印刷する対象としての所望のデータを選択して当該データの詳細情報を編集する。なお、この詳細情報は、例えば、当該データを構成するファイル名、作成日時、ＵＲＬ（Uniform Resource Locator）やディレクトリといったデータの存在場所、キーワード、その他当該データに関連する任意の情報である。印刷物管理システムにおいては、情報処理装置１２によって自動的に詳細情報を付加するようにしてもよいが、必要に応じて、ユーザによって編集操作を行うことが可能とされる。この詳細情報は、情報処理装置１２等にデータベース化されて保存される。そして、情報処理装置１２は、ステップＳ２において、印刷装置１３に対して印刷指令を出力するとともに、ステップＳ３において、ステープラ１１に対して詳細情報を送信する。
【００２１】
これに応じて、印刷装置１３は、ステップＳ４において、データの印刷処理を行い、印刷物４を作製する。一方、ステープラ１１は、ステップＳ５において、印刷されたデータのリストから印刷物管理用部材１に内蔵されているＩＣ２に記憶させたいデータを選択する。例えば、ステープラ１１は、直前に印刷されたデータがｔｅｓｔ１．ｔｘｔというデータであった場合には、このｔｅｓｔ１．ｔｘｔを選択する。さらに、ステープラ１１は、ステップＳ６において、印刷物管理用部材１のＩＣ２に記憶されている識別情報を読み取り、ステップＳ７において、記憶容量に余裕がある場合には、送信された詳細情報をＩＣ２に記憶させる。そして、ステープラ１１は、ステップＳ８において、例えば図４に示すように、印刷物管理用部材１を印刷物４に対して鋏み留めして装着し、この装着操作が無事に完了した旨を確認した上で、ステップＳ９において、装着した印刷物管理用部材１の識別情報を情報処理装置１２に対して送信する。
【００２２】
印刷物管理システムにおいては、ステープラ１１から送信された印刷物管理用部材１の識別情報を情報処理装置１２によって受信すると、ステップＳ１０において、この識別情報を情報処理装置１２によってデータベースに登録し、一連の処理を終了する。
【００２３】
印刷物管理システムにおいては、このような一連の工程を経ることにより、印刷物４を作製するとともに、当該印刷物４を特定するための識別情報をデータベースに登録することができる。
【００２４】
印刷物管理システムにおいては、印刷物４の特定を図る場合には、装着された印刷物管理用部材１のＩＣ２に記憶されている識別情報を、リーダとして機能するステープラ１１を用いて読み取る。これに応じて、ステープラ１１は、読み取った識別情報を情報処理装置１２に対して送信する。そして、情報処理装置１２は、受信した識別情報に基づいて、データベースの検索を行うことにより、印刷物４に印刷されたデータを特定することができる。
【００２５】
このように、印刷物管理システムにおいては、ＲＦＩＤの仕組みを利用し、印刷物４に対して後付け装着が可能な部材であるステープラの針３を用いて構成される印刷物管理用部材１を介して、既存の物理的媒体たる紙に対して識別情報を容易に付与することができることから、印刷したデータと印刷物４との関係を容易に特定することが可能となり、また、印刷物４の盗難防止にも寄与することができる。また、印刷物管理システムにおいては、識別情報と位置情報とに関連を持たせることにより、取得したいデータが印刷された印刷物４の位置を知ることも可能となる。
【００２６】
また、印刷物管理システムは、印刷したデータ以外の情報を、印刷物４以外の場所に保有することができることから、様々なアプリケーションに応用することができ、例えば、図５に示すように、所定の催しについて自作したチケット５に対して印刷物管理用部材１を装着しておくことにより、チケットの認証を自動化するようなシステムに適用することも可能となる。この場合、リーダの機能を携帯電話機等に持たせることにより、催しに関連したお得な情報や関連するＵＲＬ等の情報を取得し、アクセスするようなアプリケーションにも発展させることが可能となる。
【００２７】
さらに、印刷物管理システムにおいては、印刷物４に関連する文献やウェブサイトのＵＲＬ、さらには著者の情報、広告等を登録しておくことにより、印刷物４の物理的な大きさや印刷密度よりもはるかに多い情報量を保有している状況を作り出すことができる。
【００２８】
さらにまた、印刷物管理システムにおいては、ステープラの針３という後付けの部材を印刷物管理用部材１として用いることによって印刷物４の特定を図るものであることから、ユーザが識別情報の付与に関する選択権を得ることができ、ユーザにとって使い勝手のよいシステムを構築することができる。
【００２９】
なお、本発明は、上述した実施の形態に限定されるものではない。例えば、上述した実施の形態では、ステープラ１１によって読み取った識別情報に基づいて、データベースから対応するデータを特定するものとして説明したが、本発明は、詳細情報を印刷物管理用部材１のＩＣ２に記憶させた場合には、リーダによって詳細情報を直接読み取るようにしてもよく、これにより、ステープラ１１から情報処理装置１２にアクセスする必要をなくすことができる。
【００３０】
また、上述した実施の形態では、ステープラ１の針３を印刷物管理用部材１として用いるものとして説明したが、本発明は、印刷物を施す物理的媒体に対して装着可能な部材であれば、任意の部材を印刷物管理用部材として適用することができる。
【００３１】
例えば、印刷物管理システムにおいては、図６に示すように、印刷物管理用部材として、ＩＣ２を内蔵させて印刷物４を挟み込むことによって装着するクリップ６を用いることもできる。印刷物管理システムにおいては、クリップ６を用いることにより、ステープラの針３に比べ、アンテナの面積を大きく確保することができ、通信可能な距離又は情報量を増大させることができる。したがって、印刷物管理システムにおいては、クリップ６を用いることにより、情報処理装置１２からの詳細情報と識別情報とのリンクのみならず、印刷装置１３としての複写機等で読み取った内容と識別情報とのリンクを図ることも可能となる。
【００３２】
また、印刷物管理システムにおいては、例えば図７に示すように、印刷物管理用部材として、所定の剥離紙７に貼着されて提供されるＩＣ２を内蔵させたシール材８を用いることもできる。このとき、印刷物管理システムにおいては、シール材８表面に塗布される色を様々なものとして提供することにより、この色によって識別することも可能となる。
【００３３】
このように、本発明は、その趣旨を逸脱しない範囲で適宜変更が可能であることはいうまでもない。
【図面の簡単な説明】
【００３４】
【図１】本発明の実施の形態として示す印刷物管理システムにて用いる印刷物管理用部材の構成を説明する断面図である。
【図２】同印刷物管理システムの構成を説明する図である。
【図３】同印刷物管理システムにおいて、印刷物を作製する際の一連の工程を説明するフローチャートである。
【図４】作製した印刷物の外観を説明する図である。
【図５】作製したチケットの外観を説明する図である。
【図６】同印刷物管理システムにて用いる印刷物管理用部材としてのクリップの構成を説明する斜視図である。
【図７】同印刷物管理システムにて用いる印刷物管理用部材としてのシール材の外観を説明する斜視図である。
【符号の説明】
【００３５】
１          印刷物管理用部材
２          ＩＣ
３          針
４          印刷物
５          チケット
６          クリップ
７          剥離紙
８          シール材
１１        ステープラ
１２        情報処理装置
１３        印刷装置
【図１】
2005071294.tif 000003
【図２】
2005071294.tif 000004
【図３】
2005071294.tif 000005
【図４】
2005071294.tif 000006
【図５】
2005071294.tif 000007
【図６】
2005071294.tif 000008
【図７】
2005071294.tif 000009